(57)【要約】【課題】障子の開閉操作と施解錠操作がワンアクションでスムーズにできる辷り出し窓用開閉装置及び辷り出し窓を提供する。【解決手段】障子３の縦框３ｂに設けた縦被係止部６と、横框３ａに設けた横被係止部４と、縦枠にスライド自在に設けた縦係止部２９と、横枠５ａにスライド自在に設けた横係止部２３と、障子の開閉操作部７と、開閉操作部７と縦係止部２９を連結した縦連動機構１１と、開閉操作部７と横係止部２３とを連結した横連動機構１３とを備え、開閉操作部７による障子３の締め切り操作時には、縦連動機構１１は縦係止部２９を縦被係止部６との係止位置へ移動すると共に横連動機構１３は横係止部２３を横被係止部４との係止位置に移動し、開閉操作部７の開き操作開始時には、縦連動機構１１は縦被係止部６と係止状態にある縦係止部２９を係止解除位置へ移動すると共に横連動機構１３は横被係止部４と係止状態にある横係止部２３を係止解除位置へ移動する。【選択図】図１
2019112935.tif 000002
【特許請求の範囲】
【請求項１】
障子の縦框に設けた縦被係止部と、横框に設けた横被係止部と、縦枠にスライド自在に設けて縦被係止部に係止自在な縦係止部と、横枠にスライド自在に設けて横被係止部に係止自在な横係止部と、障子の開閉操作部と、開閉操作部と縦係止部を連結した縦連動機構と、開閉操作部と横係止部とを連結した横連動機構とを備え、
開閉操作部による障子の締め切り操作時には、縦連動機構は縦係止部を縦被係止部との係止位置へ移動すると共に横連動機構は横係止部を横被係止部との係止位置に移動し、開閉操作部の開き操作開始時には、縦連動機構は縦被係止部と係止状態にある縦係止部を係止解除位置へ移動すると共に横連動機構は横被係止部と係止状態にある横係止部を係止解除位置へ移動することを特徴とする辷り出し窓用開閉装置。
【請求項２】
障子の縦框に設けた縦被係止部と、縦枠にスライド自在に設けて縦被係止部に係止自在な縦係止部と、障子の開閉操作部と、開閉操作部と縦係止部を連結した縦連動機構とを備え、
縦連動機構は、開閉操作部による障子の締め切り操作時には、縦係止部を縦被係止部との係止位置へ移動し、開閉操作部の開き操作開始時には、縦被係止部と係止状態にある縦係止部を係止解除位置へ移動し、開閉操作部による障子の開き操作時には、縦連動機構は縦係止部の係止解除位置を保持する保持機構を備えることを特徴とする辷り出し窓用開閉装置。
【請求項３】
障子の縦框に設けた縦被係止部と、横框に設けた横被係止部と、縦枠にスライド自在に設けて縦被係止部に係止自在な縦係止部と、横枠にスライド自在に設けて横被係止部に係止自在な横係止部と、障子の開閉操作部と、開閉操作部と縦係止部を連結した縦連動機構と、開閉操作部と横係止部とを連結した横連動機構とを備え、
開閉操作部による障子の締め切り操作時には、縦連動機構は縦係止部を縦被係止部との係止位置へ移動すると共に横連動機構は横係止部を横被係止部との係止位置に移動し、開閉操作部の開き操作開始時には、縦連動機構は縦被係止部と係止状態にある縦係止部を係止解除位置へ移動すると共に横連動機構は横被係止部と係止状態にある横係止部を係止解除位置へ移動し、開閉操作部による障子の開き操作時には、縦連動機構は縦係止部の係止解除位置を保持する保持機構を備えることを特徴とする辷り出し窓用開閉装置。
【請求項４】
障子の縦框に設けた縦被係止部と、縦枠にスライド自在に設けて縦被係止部に係止自在な縦係止部と、障子の開閉操作部と、横枠に設けた案内部材と、開閉操作部に連結した縦連動機構とを備え、
案内部材は傾斜面を有し、縦連動機構は、縦係止部に連結してあると共に開閉操作部による障子の開き操作時に縦係止部の係止解除位置を保持する保持機構と、第１リンク及び第２リンクを有し、第１リンクの一方側端部と第２リンクの他方側端部とは回動自在に連結してあり、開閉操作部による障子の締め切り操作時には、第１リンクと第２リンクが直線状に配置され、開閉操作部の開き操作開始時には、第１リンクと第２リンクとの連結部が案内部材の傾斜面を乗り越えることで、第１リンクと第２リンクとが角度を形成して、保持機構が縦係止部の係止解除位置を保持することを特徴とする辷り出し窓用開閉装置。
【請求項５】
請求項１〜４のいずれか一項に記載の辷り出し窓用開閉装置を備えることを特徴とする辷り出し窓。
【発明の詳細な説明】
【技術分野】
【０００１】
本発明は、辷り出し窓に関する。
【背景技術】
【０００２】
従来の辷り出し窓は、障子の開閉操作と、障子の施解錠操作が一つの操作（ワンアクション）でスムーズに行うことができないことがあった。
【先行技術文献】
【特許文献】
【０００３】
【特許文献１】なし
【発明の概要】
【発明が解決しようとする課題】
【０００４】
そこで、本発明は、障子の開閉操作と施解錠操作がワンアクションでスムーズにできる辷り出し窓用開閉装置及び辷り出し窓の提供を目的とする。
【課題を解決するための手段】
【０００５】
請求項１に記載の発明は、障子の縦框に設けた縦被係止部と、横框に設けた横被係止部と、縦枠にスライド自在に設けて縦被係止部に係止自在な縦係止部と、横枠にスライド自在に設けて横被係止部に係止自在な横係止部と、障子の開閉操作部と、開閉操作部と縦係止部を連結した縦連動機構と、開閉操作部と横係止部とを連結した横連動機構とを備え、開閉操作部による障子の締め切り操作時には、縦連動機構は縦係止部を縦被係止部との係止位置へ移動すると共に横連動機構は横係止部を横被係止部との係止位置に移動し、開閉操作部の開き操作開始時には、縦連動機構は縦被係止部と係止状態にある縦係止部を係止解除位置へ移動すると共に横連動機構は横被係止部と係止状態にある横係止部を係止解除位置へ移動することを特徴とする辷り出し窓用開閉装置である。
【０００６】
請求項２に記載の発明は、障子の縦框に設けた縦被係止部と、縦枠にスライド自在に設けて縦被係止部に係止自在な縦係止部と、障子の開閉操作部と、開閉操作部と縦係止部を連結した縦連動機構とを備え、縦連動機構は、開閉操作部による障子の締め切り操作時には、縦係止部を縦被係止部との係止位置へ移動し、開閉操作部の開き操作開始時には、縦被係止部と係止状態にある縦係止部を係止解除位置へ移動し、開閉操作部による障子の開き操作時には、縦連動機構は縦係止部の係止解除位置を保持する保持機構を備えることを特徴とする辷り出し窓用開閉装置である。
【０００７】
請求項３に記載の発明は、障子の縦框に設けた縦被係止部と、横框に設けた横被係止部と、縦枠にスライド自在に設けて縦被係止部に係止自在な縦係止部と、横枠にスライド自在に設けて横被係止部に係止自在な横係止部と、障子の開閉操作部と、開閉操作部と縦係止部を連結した縦連動機構と、開閉操作部と横係止部とを連結した横連動機構とを備え、
開閉操作部による障子の締め切り操作時には、縦連動機構は縦係止部を縦被係止部との係止位置へ移動すると共に横連動機構は横係止部を横被係止部との係止位置に移動し、開閉操作部の開き操作開始時には、縦連動機構は縦被係止部と係止状態にある縦係止部を係止解除位置へ移動すると共に横連動機構は横被係止部と係止状態にある横係止部を係止解除位置へ移動し、開閉操作部による障子の開き操作時には、縦連動機構は縦係止部の係止解除位置を保持する保持機構を備えることを特徴とする辷り出し窓用開閉装置である。
【０００８】
請求項４に記載の発明は、障子の縦框に設けた縦被係止部と、縦枠にスライド自在に設けて縦被係止部に係止自在な縦係止部と、障子の開閉操作部と、横枠に設けた案内部材と、開閉操作部に連結した縦連動機構とを備え、案内部材は傾斜面を有し、縦連動機構は、縦係止部に連結してあると共に開閉操作部による障子の開き操作時に縦係止部の係止解除位置を保持する保持機構と、第１リンク及び第２リンクを有し、第１リンクの一方側端部と第２リンクの他方側端部とは回動自在に連結してあり、開閉操作部による障子の締め切り操作時には、第１リンクと第２リンクが直線状に配置され、開閉操作部の開き操作開始時には、第１リンクと第２リンクとの連結部が案内部材の傾斜面を乗り越えることで、第１リンクと第２リンクとが角度を形成して、保持機構が縦係止部の係止解除位置を保持することを特徴とする辷り出し窓用開閉装置である。
【０００９】
請求項５に記載の発明は、請求項１〜４のいずれか一項に記載の辷り出し窓用開閉装置を備えることを特徴とする辷り出し窓である。
【発明の効果】
【００１０】
請求項１に記載の発明によれば、開閉操作部の操作により障子を開閉できると共に障子を締め切ったときには、縦係止部と横係止部とを各々対応する被係止部との係止位置に移動し、開き操作開始時には縦係止部と横係止部とを対応する被係止部との係止解除位置へ移動するので、障子の開閉操作と施解錠操作が、開閉操作部のワンアクションの操作でスムーズにできる。  
更に、障子を締め切ったときには、障子の縦框と横框とを各々係止部で施錠（ロック）するので、障子を縦横で施錠できるから、強風等の環境下でも障子の撓みや歪みを防止できる。  
【００１１】
請求項２に記載の発明によれば、開閉操作部の操作により障子を開閉できると共に障子を締め切ったときには、縦係止部を縦被係止部との係止位置に移動し、開き操作開始時には縦係止部を縦被係止部との係止解除位置へ移動するので、障子の開閉操作と施解錠操作が、開閉操作部のワンアクションの操作でスムーズにできる。  
また、開閉操作部による障子を開き操作しているときに、縦連動機構は縦係止部の係止解除位置を保持する保持機構を備えているので、縦係止部が係止解除位置から係止位置へ移動して障子を閉めるときに障子と干渉することを防止できる。  
【００１２】
請求項３に記載の発明によれば、開閉操作部の操作により障子を開閉できると共に障子を締め切ったときには、縦係止部と横係止部とを各々対応する被係止部との係止位置に移動し、開き操作開始時には各縦係止部と横係止部とを対応する被係止部との係止解除位置へ移動するので、障子の開閉操作と施解錠操作が、開閉操作部のワンアクションの操作でスムーズにできる。  
また、開閉操作部による障子を開き操作しているときに、縦連動機構は縦係止部の係止解除位置を保持する保持機構を備えているので、縦係止部が係止解除位置から係止位置へ移動して障子を閉め切るときに障子と干渉することを防止できる。  
更に、障子を締め切ったときには、障子の縦框と横框とを対応する枠に施錠（ロック）するので、障子を縦横で施錠できるから、強風等の環境下でも障子の撓みや歪みを防止できる。  
【００１３】
請求項４に記載の発明によれば、開閉操作部の操作により障子を開閉できると共に障子を締め切ったときには、縦連動機構は縦係止部を縦被係止部との係止位置に移動し、開き操作開始時には縦係止部を縦被係止部との係止解除位置へ移動するので、障子の開閉操作と施解錠操作が、開閉操作部のワンアクションの操作でスムーズにできる。  
また、開閉操作部による障子の開き作時には、第１リンクと第２リンクとの連結部を案内部材の傾斜面で案内して、第１リンクと第２リンクとの連結部が案内部材の傾斜面を乗り越えることで、第１リンクと第２リンクが角度を形成するので、障子を確実に開くことができる。案内部材の傾斜面は、第１リンクと第２リンクとが角度を形成し始めるきっかけとするものであり、第１リンクと第２リンクとの連結部が案内部材の傾斜面を移動中又は移動した後に第１リンクと第２リンクとが角度を形成する。  
開閉操作部による障子を開き操作しているときに、縦連動機構は縦係止部の係止解除位置を保持する保持機構を備えているので、縦係止部が係止解除位置から係止位置へ移動して障子を閉め切るときに障子と干渉することを防止できる。  
【００１４】
請求項５に記載の発明によれば、請求項１〜４のいずれか一項に記載の効果を奏する辷り出し窓を提供できる。  
【図面の簡単な説明】
【００１５】
【図１】本発明の実施の形態にかかる辷り出し窓であって、（ａ）は図２に示す開閉操作部、横連動機構及び縦連動機構を抜き出して示す正面図であり、（ｂ）は縦係止部材と縦被係止部材とを示す縦断面図である。
【図２】本発明の実施の形態にかかる辷り出し窓を室内側から見た正面図である。
【図３】障子の施錠状態における辷り出し窓であって、下枠及び障子下框の縦断面図である。
【図４】障子の施錠状態における辷り出し窓の横断面図であって、横連動機構及び縦連動機構を示す図である。
【図５】障子が閉じ状態で且つ解錠状態にある辷り出し窓の横断面図であって、横連動機構及び縦連動機構を示す図である。
【図６】障子が開き始め状態にある辷り出し窓の横断面図であって、横連動機構及び縦連動機構を示す図である。
【図７】障子が全開状態にある辷り出し窓の横断面図であって、横連動機構及び縦連動機構を示す図である。
【図８】縦連動機構における駆動方向変換部の正面図であり、（ａ）は施錠時、（ｂ）は解錠時の図である。
【図９】縦係止部と縦被係止部とを示す図であり、（ａ）は施錠状態における縦框の側面図、（ｂ）は解錠状態における縦框の側面図、（ｃ）は施錠状態における縦枠と縦框の横断面図である。
【図１０】本発明の実施の形態にかかる辷り出し窓であって、縦連動機構の第１リンクと第２リンク及びこれらの周辺部分を示す平面図である。
【発明を実施するための形態】
【００１６】
以下に、添付図面を参照して本発明の実施の形態を説明する。  
図１及び図２に示すように、本発明の第１実施の形態にかかる辷り出し窓１は、障子３と、枠５と、辷り出し窓用開閉装置２とを備えている。  
障子３の下框（横框）３ａと下枠（横枠）５ａとの間には、横連動機構１３と、縦連動機構１１と、案内部材３４とが設けてあり、横連動機構１３には障子開閉機構９が連結してある。  
図４に示すように、障子３の開閉操作部７は駆動歯車１５を介して横連動機構１３に連結してある。  
図１及び図３に示すように、障子３の下框３ａの下面には、横被係止部４が下方に突設して設けてある。図１及び図２に示すように、障子３の戸先框（以下、「縦框」という）３ｂには、枠５の縦枠５ｂ側に突設した縦被係止部６が上下に間隔をあけて２箇所に設けてある。  
【００１７】
図４に示すように、開閉操作部７は、ハンドル７ａと回転軸７ｂとを有し、回転軸７ｂには歯車７ｃが設けてあり、ハンドルの歯車７ｃは、駆動歯車１５に歯合している。駆動歯車１５には半径方向外側へ突出する突出アーム１５ａが一体に設けてある。突出アーム１５ａの先端部には操作リンク１９の一端部１９ａが回動自在に連結してあり、操作リンク１９の他端部１９ｂは、下枠５ａの長手方向に摺動自在なベースリンク２１（図３参照）に回動自在に連結してある。図５に示すように、ベースリンク２１は、他方側位置（障子が締め切り位置にあるときの位置）から一方側位置（障子が全開状態にあるときの位置）に向けて摺動方向Ｓ及びその反対方向を摺動自在である。  
【００１８】
図４及び図５に示すように、横連動機構１３は、板状の摺動カム１７を有し、摺動カム１７の一端部１７ｃは、ベースリンク２１に回動自在に連結してある。  
摺動カム１７の板面には、障子３の開閉を案内する２つの長孔状のカム孔１７ａ、１７ｂが形成してある。また、摺動カム１７には、その室外側端部に障子３の横被係止部４に係止可能な横係止部２３が設けてある。横係止部２３は、摺動カム１７の板面から立設した壁部であり、横被係止部４と係止状態にあるときに横被係止部４の室外側に位置する係止壁部２３ａと、障子３が開き位置から閉じ位置へ移動するときに横被係止部４の移動軌跡に沿って設けた案内部２３ｂが形成してある。  
【００１９】
障子開閉機構９は、開閉リンク２５を有し、開閉リンク２５は、一端部２５ａが障子３の戸尻側突設部３ｃに回動自在に連結してある。開閉リンク２５の他端部２５ｂには、摺動カム１７のカム孔１７ａ及び１７ｂを摺動可能な係合突起２７ａ、２７ｂが設けてある。  
【００２０】
縦連動機構１１は、縦係止部２９（図１参照）と、第１リンク３０と、第２リンク３１と、縦係止部２９の位置を保持する保持機構３３と、駆動方向変更部３５とを備えている。  
図１に示すように、縦係止部２９は縦枠５ｂに沿って摺動可能な縦摺動部材３６に固定してあり、縦被係止部６に対応して２箇所設けてあり、各縦係止部２９は縦被係止部６に上から係止する鉤状を成している。縦摺動部材３６の下端部には補助材４５が固定してある。補助材４５には、水平方向の長孔４５ａが形成してある。  
第１リンク３０の一端部３０ａは第２リンク３１の他端部３１ｂに連結部２８により回動自在に連結してあり、第１リンク３０の他端部３０ｂはベースリンク２１に回動自在に連結してある。図８に示すように、第２リンク３１の一端部３１ａは、下枠５ａを摺動自在なスライダー３７に連結してある。図１０に示すように、第２リンク３１の一端部３１ａには下方に突設する突設部３１ｃが設けてある。突設部３１ｃは平面視円弧状の輪郭を有している。  
【００２１】
保持機構３３は、下枠５ａに固定した保持部材３２を備えている。保持部材３２には、第２リンク３１の一端部３１ａに設けた突設部３１ｃが入り込む円弧状の案内凹部３２ａが形成してある。  
図８に示すように、駆動方向変更部３５は、スライドリンク３９と、方向変更部品４１とを備えている。スライドリンク３９は一端部３９ａをスライダー３７に回動自在に連結してあり、他端部３９ｂを方向変更部品４１に連結してある。  
図８（ａ）に示すように、方向変更部品４１は、三角形の各角を形成する３つの連結部４１ａ、４１ｂ、４１ｃを有し、最も上の頂点に位置する連結部４１ａは下枠５ａに固定した支持部材４３に対して回動自在に連結してある。他方側にある連結部４１ｂは、スライダー３７の他端部３９ｂが回動自在に連結してある。一方側にある連結部４１ｃは補助材４５の長孔４５ａに係合するピン４５ｂが設けてあり、ピン４５ｂは補助材４５の長孔４５ａ内をスライド自在としてある。  
案内部材３４は、下枠５ａに固定してあり、ベースリンク２１の移動方向Ｓの一方側ほど室外側へ突出する傾斜面３４ａが形成してある。  
【００２２】
次に、本実施の形態に係る辷り出し窓１における障子３の開閉及び施解錠について説明する。  
図４、図８（ａ）及び図９（ａ）に示すように、障子３の全閉及び施錠状態にあるときには、障子３の下框３ａに設けた横被係止部４は、横連動機構１３の横係止部２３に係止し（図４参照）、障子３の縦框３ｂに設けた縦被係止部６は縦連動機構１１に設けた縦係止部２９に上から係止された状態（図９（ａ）参照）にある。また、縦連動機構１１の第１リンク３０と第２リンク３１は直線状を成している（図４参照）。  
【００２３】
障子の全閉及び施錠状態から開閉操作部７を操作して障子３を開く場合には、図４に示す障子３の全閉及び施錠状態から、開閉操作部７を一方向に回転操作する。  
これにより、図４に示すように駆動歯車１５が矢印Ｖ方向に回転して、図５に示すように、駆動歯車１５の突出アーム１５ａが操作リンク１９を一方側へ引き寄せ、操作リンク１９に連結しているベースリンク２１を一方側へ移動する。ベースリンク２１に連結してある第１リンク３０及び第２リンク３１は直線状の状態のまま、一方側へ移動し、図８（ａ）から図８（ｂ）に示すように、駆動方向変換部３５では、スライダー３７の一方側への移動により、方向変換部品４１が一方側へ押されて頂上の連結部４１ａを支点として回動し、連結部４１ｃを押し上げ、補助材４５を上方へ持ち上げるので、補助材４５に固定してある縦摺動部材３６を上方に摺動する。  
これにより、図９（ａ）から（ｂ）に示すように、縦係止部２９が上方にあがって縦被係止部６との係止を解除する。  
一方、図５に示すように、ベースリンク２１に連結してある摺動カム１７は、一方側に移動し、摺動カム１７に設けてある横係止部２３は、横被係止部４の一方側へ移動し、横被係止部４との係止を解除する。  
【００２４】
障子３の縦框３ｂと下框３ａの係止（ロック）を解除した後、図６に示すように、更に、開閉操作部７を同方向に続けて回すと、駆動歯車１５が更にＶ方向に回転して、ベースリンク２１が一方側へ移動するに伴い、図１０（ａ）に示すように、縦連動機構１１では、第１リンク３０と第２リンク３１との連結部２８が案内部材３４の傾斜面３４ａを移動し、図１０（ｂ）に示すように、連結部２８が案内部材３４の傾斜面３４ａに案内されて、傾斜面３４ａを乗り越えることで、第１リンク３０と第２リンク３１とがハの字状となって角度を形成する。即ち、案内部材３４の傾斜面３４ａは連結部２８の移動を案内することにより、第１リンク３０及び第２リンク３１が角度を形成するきっかけになるものである。  
一方、保持機構３３では、第２リンク３１の突設部３１ｃが保持部材３２の案内凹部３２ａに入り込んで、第２リンク３１の一端部３１ａがその位置を保持したまま回動する。
したがって、縦係止部２９が縦被係止部６に対して解除状態にある位置、即ち、縦係止部２９が縦被係止部６より上方にある状態を維持し続ける。  
図７に示すように、更に、開閉操作部７を同方向に続けて回すと、駆動歯車１５が更にＶ方向に回転してベースリンク２１が更に一方側へ移動し、第１リンク３０と第２リンク３１とが形成する角度を小さくして、スライダー３７の位置を保持しつつ、障子３は全開状態となる。  
【００２５】
図７に示す障子３が全開状態にあるときから、障子３を閉じるときには、開閉操作部７を障子の開くときの方向と反対の方向に回し、駆動歯車１５をＶ方向と逆方向に回して、操作リンク１９を他方側へ押してベースリンク２１を他方側へ移動する。これにより、図６から図５に示すように、障子３の開き動作のときとは反対に動作して障子３が全閉じ状態になる。図５に示すように、この障子３の全閉状態で、第１リンク３０及び第２リンク３１は直線状になると共に図１０（ａ）に示すように、第２リンク３１の突設部３１ｃは保持部材３２の案内凹部３２ａから外れる。  
図５に示す障子３の閉じ位置から、更に、開閉操作部７を障子３の閉じ方向に回し続けると、駆動歯車１５はＶ方向と逆方向に更に回転し、ベースリンク２１に連結された第１リンク３０は他方側へ移動し、図８に示すように駆動方向変更部３５では、図８（ｂ）に示す方向変更部品４１の連結部４１ｂが他方側へ引かれて、図８（ａ）に示す位置へ回動する。  
これにより、縦摺動部材３６が下方へ摺動して、図９（ｂ）から図９（ａ）に示すように、縦被係止部６に縦係止部２９が上から係止する。  
一方、図５に示すように、横連動機構１３では、横被係止部４に対して横係止部２３が離れた位置にあるが、この状態から摺動カム１７が他方側へ移動し、図４に示すように、横係止部２３が横被係止部４に係止する。  
以上のように、障子３の締め切り状態では、障子３は、縦係止部２９と横係止部２３とで、障子３の下框（横框）３ａと縦框３（ｂ）とがロックされる。  
【００２６】
本実施の形態の効果について説明する。図４〜図７及び図９に示すように、本実施の形態によれば、開閉操作部７の操作により障子３を開閉できると共に障子３を締め切ったときには、縦係止部２９を縦被係止部６との係止位置へ、横係止部２３を横被係止部４との係止位置へ移動し、開き操作開始時には縦係止部２９と横係止部２３とを各々対応する被係止部４、６との係止解除位置へ移動するので、開閉操作部７のワンアクションの操作で、障子３の開閉操作と施解錠操作がスムーズにできる。  
更に、障子３を締め切ったときには、障子３の縦框３ｂと下框（横框）３ａとを各々対応する係止部２９、２３で施錠（ロック）するので、障子３を縦横で施錠できるから、強風等の環境下でも障子の撓みや歪みを防止できる。  
【００２７】
また、図１０に示すように、開閉操作部７により障子３を開操作しているときに、縦連動機構１１は縦係止部２９が係止解除位置を保持する保持機構３３を備えているので、縦係止部２９が自重により係止解除位置から係止位置へ移動して（図９参照）障子を閉め切るときに障子３と干渉することを防止できる。  
【００２８】
また、図６及び図７に示すように、開閉操作部７による障子３の開操作時には、縦連動機構１１では、第１リンク３０と第２リンク３１との連結部２８が案内部材３４の傾斜面３４ａを越えることで第１リンク３０と第２リンク３１が角度を形成するので、障子を確実に開くことができる。  
【００２９】
本発明は、上述した実施の形態に限らず、本発明の要旨を逸脱しない範囲で種々変形可能である。  
上述した実施の形態では、縦連動機構１１と横連動機構１３とを設けて、障子の締め切時には、下框３ａに設けた横被係止部４を横係止部２３で係止し、縦框３ｂに設けた縦被係止部６を縦係止部２９で係止することで、障子３の下框３ａと縦框３ｂをロックしたが、これに限らず、横連動機構１３を設けないで、縦連動機構１１のみを設けて障子３の縦框３ｂに設けた縦被係止部６を縦係止部２９で係止することで、障子３の縦框３ｂのみをロックしても良い。  
横被係止部４は障子３の下框３ａに設けて、障子３の締め切り時に障子の下框３ａをロックしたが、障子３の上框に設けて障子３の締め切り時に障子の上框をロックするようにしても良い。この場合には、開閉操作部７、横連動機構１３及び縦連動機構１１は上枠に設ける。  
第１リンク３０と第２リンク３１との連結部２８は、案内部材３４の傾斜面３４ａを越えた後に、第１リンク３０と第２リンク３１とが角度を形成することに限らず、連結部２８が傾斜面３４ａを移動中に第１リンク３０と第２リンク３１とが角度を形成しても良い。  
【符号の説明】
【００３０】
１    辷り出し窓
２  辷り出し窓用開閉装置
３    障子
３ａ  下框（横框）
３ｂ  縦框
４    横被係止部
５ａ  下枠
６    縦被係止部
７    開閉操作部
１１  縦連動機構
１３  横連動機構
２３  横係止部
２９  縦係止部
３０  第１リンク
３１  第２リンク
３４  案内部材
３４ａ  傾斜面
【図１】
2019112935.tif 000003
【図２】
2019112935.tif 000004
【図３】
2019112935.tif 000005
【図４】
2019112935.tif 000006
【図５】
2019112935.tif 000007
【図６】
2019112935.tif 000008
【図７】
2019112935.tif 000009
【図８】
2019112935.tif 000010
【図９】
2019112935.tif 000011
【図１０】
2019112935.tif 000012
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
障子の縦框に設けた縦被係止部と、縦枠にスライド自在に設けて縦被係止部に係止自在な縦係止部と、障子の開閉操作部と、横枠に設けた案内部材と、開閉操作部に連結した縦連動機構とを備え、
案内部材は傾斜面を有し、縦連動機構は、縦係止部に連結してあると共に開閉操作部による障子の開き操作時に縦係止部の係止解除位置を保持する保持機構と、第１リンク及び第２リンクを有し、第１リンクの一方側端部と第２リンクの他方側端部とは回動自在に連結してあり、開閉操作部による障子の締め切り操作時には、第１リンクと第２リンクが直線状に配置され、開閉操作部の開き操作開始時には、第１リンクと第２リンクとの連結部が案内部材の傾斜面を乗り越えることで、第１リンクと第２リンクとが角度を形成して、保持機構が縦係止部の係止解除位置を保持することを特徴とする辷り出し窓用開閉装置。
【請求項２】
請求項１に記載の辷り出し窓用開閉装置を備えることを特徴とする辷り出し窓。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項１に記載の発明は、障子の縦框に設けた縦被係止部と、縦枠にスライド自在に設けて縦被係止部に係止自在な縦係止部と、障子の開閉操作部と、横枠に設けた案内部材と、開閉操作部に連結した縦連動機構とを備え、案内部材は傾斜面を有し、縦連動機構は、縦係止部に連結してあると共に開閉操作部による障子の開き操作時に縦係止部の係止解除位置を保持する保持機構と、第１リンク及び第２リンクを有し、第１リンクの一方側端部と第２リンクの他方側端部とは回動自在に連結してあり、開閉操作部による障子の締め切り操作時には、第１リンクと第２リンクが直線状に配置され、開閉操作部の開き操作開始時には、第１リンクと第２リンクとの連結部が案内部材の傾斜面を乗り越えることで、第１リンクと第２リンクとが角度を形成して、保持機構が縦係止部の係止解除位置を保持することを特徴とする辷り出し窓用開閉装置である。
【手続補正６】
【補正対象書類名】明細書
【補正対象項目名】０００９
【補正方法】変更
【補正の内容】
【０００９】
請求項２に記載の発明は、請求項１に記載の辷り出し窓用開閉装置を備えることを特徴とする辷り出し窓である。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
請求項１に記載の発明によれば、開閉操作部の操作により障子を開閉できると共に障子を締め切ったときには、縦連動機構は縦係止部を縦被係止部との係止位置に移動し、開き操作開始時には縦係止部を縦被係止部との係止解除位置へ移動するので、障子の開閉操作と施解錠操作が、開閉操作部のワンアクションの操作でスムーズにできる。  
また、開閉操作部による障子の開き操作時には、第１リンクと第２リンクとの連結部を案内部材の傾斜面で案内して、第１リンクと第２リンクとの連結部が案内部材の傾斜面を乗り越えることで、第１リンクと第２リンクが角度を形成するので、障子を確実に開くことができる。案内部材の傾斜面は、第１リンクと第２リンクとが角度を形成し始めるきっかけとするものであり、第１リンクと第２リンクとの連結部が案内部材の傾斜面を移動中又は移動した後に第１リンクと第２リンクとが角度を形成する。
開閉操作部による障子を開き操作しているときに、縦連動機構は縦係止部の係止解除位置を保持する保持機構を備えているので、縦係止部が係止解除位置から係止位置へ移動して障子を閉め切るときに障子と干渉することを防止できる。  
【手続補正１１】
【補正対象書類名】明細書
【補正対象項目名】００１４
【補正方法】変更
【補正の内容】
【００１４】
請求項２に記載の発明によれば、請求項１に記載の効果を奏する辷り出し窓を提供できる。